【手続補正書】
【提出日】平成23年10月20日(2011.10.20)
【手続補正１】
【補正対象書類名】特許請求の範囲
【補正対象項目名】全文
【補正方法】変更
【補正の内容】
【特許請求の範囲】
【請求項１】
入力された画像データの水平方向の画素数を所定の変換比で変換する画像処理装置であって、
入力された前記画像データに同期した入力クロックに基づき、前記入力クロックにそれぞれ同期する、前記入力クロックより高い周波数の第１のクロックと、前記第１のクロックより周波数が高い第２のクロックとを発生する同期クロック発生手段と、
入力された前記画像データを前記第１のクロックに応じてサンプリングすることにより前記画像データの画素数を増加する第１のサンプリング手段と、
所定のカウント値までを巡回的にカウントするカウンタであって、前記第２のクロックに応じて、前記変換比と、前記第２のクロックおよび前記入力クロックの周波数の比とに基づく値を順次加算するカウンタと、
前記カウンタのカウント値が前記所定のカウント値になる毎に前記第２のクロックをゲートすることにより第３のクロックを生成するクロック生成手段と、
前記第１のサンプリング手段によりサンプリングされた前記画像データを、前記クロック生成手段により生成された前記第３のクロックに応じてサンプリングすることにより、前記第１のサンプリング手段によりサンプリングされた前記画像データの画素数を減少する第２のサンプリング手段と
を有することを特徴とする画像処理装置。
【請求項２】
入力された画像データの画素数を変換する画像処理装置であって、
入力された前記画像データに同期した入力クロックに基づき、前記入力クロックに同期し且つ前記入力クロックより高い周波数の第１のクロックと、前記入力クロックに同期し且つ前記第１のクロックより高い周波数の第２のクロックとを発生する同期クロック発生手段と、
入力された前記画像データを前記第１のクロックに応じてサンプリングすることにより前記画像データの画素数を増加すると共に画素数が増加された前記画像データに対してフィルタ処理を施すフィルタを含む第１のサンプリング手段と、
所定のカウント値までを巡回的にカウントするカウンタであって、前記第２のクロックに従い所定の調整値を順次加算するカウンタと、
前記カウンタのカウント値に従って前記第２のクロックに同期し且つ変換後の画素数に応じた周波数の第３のクロックを生成するクロック生成手段と、
前記第１のサンプリング手段によりサンプリングされフィルタ処理が施された前記画像データを、前記クロック生成手段により生成された前記第３のクロックに応じてサンプリングすることにより、前記第１のサンプリング手段によりサンプリングされフィルタ処理が施された前記画像データの画素数を減少する第２のサンプリング手段と
を有することを特徴とする画像処理装置。
【請求項３】
前記第１のサンプリング手段は、タップ毎にタップ係数が設定されたＦＩＲフィルタを含むことを特徴とする請求項１または２に記載の画像処理装置。
【請求項４】
前記第１のサンプリング手段は、前記入力クロックにおける同じ位相でサンプリングされた複数のサンプルのうち１個だけが用いられるように、前記タップ係数を前記第１のクロックごとに変更する
ことを特徴とする請求項３に記載の画像処理装置。
【請求項５】
前記カウンタは、前記画像データの水平ライン毎に前記カウント値をリセットすることを特徴とする請求項１から４の何れか１項に記載の画像処理装置。
【請求項６】
前記第１のサンプリング手段に前記画像データを出力する撮像手段と、
前記第２のサンプリング手段からの画像データを表示する表示手段と
を更に有することを特徴とする請求項１から５の何れか１項に記載の画像処理装置。
【請求項７】
入力された画像データの水平方向の画素数を所定の変換比で変換する画像処理装置における画像処理方法であって、
前記画像処理装置の同期クロック発生手段が、入力された前記画像データに同期した入力クロックに基づき、前記入力クロックにそれぞれ同期する、前記入力クロックより高い周波数の第１のクロックと、前記第１のクロックより周波数が高い第２のクロックとを発生する同期クロック発生ステップと、
前記画像処理装置の第１のサンプリング手段が、入力された前記画像データを前記第１のクロックに応じてサンプリングすることにより前記画像データの画素数を増加する第１のサンプリングステップと、
前記画像処理装置のカウンタが、所定のカウント値までを巡回的にカウントするカウントステップであって、前記第２のクロックに応じて、前記変換比と、前記第２のクロックおよび前記入力クロックの周波数の比とに基づく値を順次加算するカウントステップと、
前記画像処理装置のクロック生成手段が、前記カウント値が前記所定のカウント値になる毎に前記第２のクロックをゲートすることにより第３のクロックを生成するクロック生成ステップと、
前記画像処理装置の第２のサンプリング手段が、前記第１のサンプリングステップによりサンプリングされた前記画像データを、前記クロック生成ステップにより生成された前記第３のクロックに応じてサンプリングすることにより前記第１のサンプリングステップによりサンプリングされた前記画像データの画素数を減少する第２のサンプリングステップと
を有することを特徴とする画像処理方法。
【請求項８】
入力された画像データの画素数を変換する画像処理装置における画像処理方法であって、
前記画像処理装置の同期クロック発生手段が、入力された前記画像データに同期した入力クロックに基づき、前記入力クロックに同期し且つ前記入力クロックより高い周波数の第１のクロックと、前記入力クロックに同期し且つ前記第１のクロックより高い周波数の第２のクロックとを発生する同期クロック発生ステップと、
前記画像処理装置の第１のサンプリング手段が、入力された前記画像データを前記第１のクロックに応じてサンプリングすることにより前記画像データの画素数を増加すると共に画素数が増加された前記画像データに対してフィルタ処理を施す第１のサンプリングステップと、
前記画像処理装置のカウンタが、所定のカウント値までを巡回的にカウントするカウントステップであって、前記第２のクロックに従い所定の調整値を順次加算するカウントステップと、
前記画像処理装置のクロック生成手段が、前記カウント値に従って前記第２のクロックに同期し且つ変換後の画素数に応じた周波数の第３のクロックを生成するクロック生成ステップと、
前記画像処理装置の第２のサンプリング手段が、前記第１のサンプリングステップによりサンプリングされフィルタ処理が施された前記画像データを、前記クロック生成ステップにより生成された前記第３のクロックに応じてサンプリングすることにより、前記第１のサンプリングステップによりサンプリングされフィルタ処理が施された前記画像データの画素数を減少する第２のサンプリングステップと
を有することを特徴とする画像処理方法。
【手続補正２】
【補正対象書類名】明細書
【補正対象項目名】００１９
【補正方法】変更
【補正の内容】
【００１９】
本発明は、上述した課題を解決するために、入力された画像データの水平方向の画素数を所定の変換比で変換する画像処理装置であって、入力された前記画像データに同期した入力クロックに基づき、前記入力クロックにそれぞれ同期する、前記入力クロックより高い周波数の第１のクロックと、前記第１のクロックより周波数が高い第２のクロックとを発生する同期クロック発生手段と、入力された前記画像データを前記第１のクロックに応じてサンプリングすることにより前記画像データの画素数を増加する第１のサンプリング手段と、所定のカウント値までを巡回的にカウントするカウンタであって、前記第２のクロックに応じて、前記変換比と、前記第２のクロックおよび前記入力クロックの周波数の比とに基づく値を順次加算するカウンタと、前記カウンタのカウント値が前記所定のカウント値になる毎に前記第２のクロックをゲートすることにより第３のクロックを生成するクロック生成手段と、前記第１のサンプリング手段によりサンプリングされた前記画像データを、前記クロック生成手段により生成された前記第３のクロックに応じてサンプリングすることにより、前記第１のサンプリング手段によりサンプリングされた前記画像データの画素数を減少する第２のサンプリング手段とを有することを特徴とする画像処理装置である。
【手続補正３】
【補正対象書類名】明細書
【補正対象項目名】００２０
【補正方法】変更
【補正の内容】
【００２０】
また、本発明は、入力された画像データの水平方向の画素数を所定の変換比で変換する画像処理装置における画像処理方法であって、前記画像処理装置の同期クロック発生手段が、入力された前記画像データに同期した入力クロックに基づき、前記入力クロックにそれぞれ同期する、前記入力クロックより高い周波数の第１のクロックと、前記第１のクロックより周波数が高い第２のクロックとを発生する同期クロック発生ステップと、前記画像処理装置の第１のサンプリング手段が、入力された前記画像データを前記第１のクロックに応じてサンプリングすることにより前記画像データの画素数を増加する第１のサンプリングステップと、前記画像処理装置のカウンタが、所定のカウント値までを巡回的にカウントするカウントステップであって、前記第２のクロックに応じて、前記変換比と、前記第２のクロックおよび前記入力クロックの周波数の比とに基づく値を順次加算するカウントステップと、前記画像処理装置のクロック生成手段が、前記カウント値が前記所定のカウント値になる毎に前記第２のクロックをゲートすることにより第３のクロックを生成するクロック生成ステップと、前記画像処理装置の第２のサンプリング手段が、前記第１のサンプリングステップによりサンプリングされた前記画像データを、前記クロック生成ステップにより生成された前記第３のクロックに応じてサンプリングすることにより前記第１のサンプリングステップによりサンプリングされた前記画像データの画素数を減少する第２のサンプリングステップとを有することを特徴とする画像処理方法である。
【手続補正４】
【補正対象書類名】明細書
【補正対象項目名】００２１
【補正方法】変更
【補正の内容】
【００２１】
また、本発明は、入力された画像データの画素数を変換する画像処理装置であって、入力された前記画像データに同期した入力クロックに基づき、前記入力クロックに同期し且つ前記入力クロックより高い周波数の第１のクロックと、前記入力クロックに同期し且つ前記第１のクロックより高い周波数の第２のクロックとを発生する同期クロック発生手段と、入力された前記画像データを前記第１のクロックに応じてサンプリングすることにより前記画像データの画素数を増加すると共に画素数が増加された前記画像データに対してフィルタ処理を施すフィルタを含む第１のサンプリング手段と、所定のカウント値までを巡回的にカウントするカウンタであって、前記第２のクロックに従い所定の調整値を順次加算するカウンタと、前記カウンタのカウント値に従って前記第２のクロックに同期し且つ変換後の画素数に応じた周波数の第３のクロックを生成するクロック生成手段と、前記第１のサンプリング手段によりサンプリングされフィルタ処理が施された前記画像データを、前記クロック生成手段により生成された前記第３のクロックに応じてサンプリングすることにより、前記第１のサンプリング手段によりサンプリングされフィルタ処理が施された前記画像データの画素数を減少する第２のサンプリング手段とを有することを特徴とする画像処理装置である。
また、本発明は、入力された画像データの画素数を変換する画像処理装置における画像処理方法であって、前記画像処理装置の同期クロック発生手段が、入力された前記画像データに同期した入力クロックに基づき、前記入力クロックに同期し且つ前記入力クロックより高い周波数の第１のクロックと、前記入力クロックに同期し且つ前記第１のクロックより高い周波数の第２のクロックとを発生する同期クロック発生ステップと、前記画像処理装置の第１のサンプリング手段が、入力された前記画像データを前記第１のクロックに応じてサンプリングすることにより前記画像データの画素数を増加すると共に画素数が増加された前記画像データに対してフィルタ処理を施す第１のサンプリングステップと、前記画像処理装置のカウンタが、所定のカウント値までを巡回的にカウントするカウントステップであって、前記第２のクロックに従い所定の調整値を順次加算するカウントステップと、前記画像処理装置のクロック生成手段が、前記カウント値に従って前記第２のクロックに同期し且つ変換後の画素数に応じた周波数の第３のクロックを生成するクロック生成ステップと、前記画像処理装置の第２のサンプリング手段が、前記第１のサンプリングステップによりサンプリングされフィルタ処理が施された前記画像データを、前記クロック生成ステップにより生成された前記第３のクロックに応じてサンプリングすることにより、前記第１のサンプリングステップによりサンプリングされフィルタ処理が施された前記画像データの画素数を減少する第２のサンプリングステップとを有することを特徴とする画像処理方法である。